(57)【要約】【課題】複数の圧縮機構が１本の駆動軸で連結された圧縮機が設けられて二段圧縮冷凍サイクルを行う冷凍装置において、運転条件の変化に拘わらず高いＣＯＰを得る。【解決手段】二段圧縮冷凍サイクルを行う冷凍装置に、複数の回転式の圧縮機構（41,42）が１本の駆動軸（50）で連結された圧縮機（30）が接続された冷媒回路（11）と、圧縮機（30）の中間圧冷媒を冷却するインジェクション通路とを設ける。また、上記圧縮機（30）には、２つの連絡通路（161,162）を介して直列に接続された３つの圧縮室（74,94,53）を設ける。上記２つの連絡通路（161,162）のうちのいずれか１つの連絡通路を流れる冷媒を上記インジェクション通路によって冷却する一方、該インジェクション通路の冷却対象となる連絡通路（161,162）を変更する切換機構（62）を設ける。【選択図】図１
2010156497.tif 000002
【特許請求の範囲】
【請求項１】
複数の回転式の圧縮機構（41,42）が１本の駆動軸（50）で連結された圧縮機（30）が接続された冷媒回路（11）と、上記圧縮機（30）の中間圧冷媒を冷却する冷却手段（7）とを備えて二段圧縮冷凍サイクルを行う冷凍装置であって、
上記圧縮機（30）は、それぞれ連絡通路（161,162）を介して直列に接続された３つ以上の圧縮室（74,94,53）を備え、
上記複数の連絡通路（161,162）のうちのいずれか１つの連絡通路を流れる冷媒が上記冷却手段（7）によって冷却される一方、
上記冷却手段（7）の冷却対象となる連絡通路（161,162）を変更する変更手段（8）を備えている
ことを特徴とする冷凍装置。
【請求項２】
請求項１において、
上記冷却手段（7）は、上記圧縮機（30）から吐出され、上記冷媒回路（11）の放熱器（14,15）において冷却された冷媒の一部を上記連絡通路（161,162）に導くインジェクション通路（26,5,6）を備えている
ことを特徴とする冷凍装置。
【請求項３】
請求項１において、
上記冷却手段（7）は、上記連絡通路（161,162）を流れる冷媒を冷却する熱交換器（19）を備えている
ことを特徴とする冷凍装置。
【請求項４】
請求項２又は３において、
上記冷却手段（7）を１つだけ備え、
上記変更手段（8）は、上記冷却手段（7）が接続される連絡通路（161,162）を切り換える切換機構（62,191,192）を有している
ことを特徴とする冷凍装置。
【請求項５】
請求項１乃至４のいずれか１つにおいて、
上記圧縮機（30）は、順に直列に接続された第１圧縮室（74）、第２圧縮室（94）及び第３圧縮室（53）を備え、
上記第１圧縮室（74）と上記第２圧縮室（94）とが第１連絡通路（161）によって接続される一方、上記第２圧縮室（94）と上記第３圧縮室（53）とが第２連絡通路（162）によって接続され、
上記変更手段（8）は、上記冷却手段（7）によって第１連絡通路（161）を流れる冷媒が冷却される第１の状態と、上記冷却手段（7）によって第２連絡通路（162）を流れる冷媒が冷却される第２の状態とを切換可能に構成されている
ことを特徴とする冷凍装置。
【請求項６】
請求項５において、
上記第１圧縮室（74）及び上記第２圧縮室（94）の吐出ポート（79,80,99,100）には、それぞれ該吐出ポート（79,80,99,100）を開閉するための吐出弁（82,83,102,103）が設けられている
ことを特徴とする冷凍装置。
【請求項７】
請求項１乃至６のいずれか１つにおいて、
上記冷媒回路（11）には、冷媒として二酸化炭素が充填されている
ことを特徴とする冷凍装置。
【発明の詳細な説明】
【技術分野】
【０００１】
本発明は、二段圧縮冷凍サイクルを行う冷凍装置に関し、特に、複数の圧縮機構部が１本の駆動軸で連結された圧縮機が設けられた冷凍装置に関するものである。
【背景技術】
【０００２】
従来より、二段圧縮冷凍サイクルを行う冷凍装置として、例えば、２つの圧縮機構部が１本の駆動軸に連結された圧縮機が用いられている（例えば特許文献１参照）。この冷凍装置の圧縮機では、一方の圧縮機構が低段側圧縮機構となり、他方の圧縮機構が高段側圧縮機構となる。
【特許文献１】特開２０００−８７８９２号公報
【発明の開示】
【発明が解決しようとする課題】
【０００３】
ところで、上述のような二段圧縮冷凍サイクルを行う冷凍装置では、低段側圧縮機構と高段側圧縮機構との間の冷媒の圧力（以下、「中間圧力」と称する。）の値によって成績係数（ＣＯＰ）が変化する。ところが、高いＣＯＰが得られる中間圧力は運転条件等によって異なる。そのため、運転条件に応じて中間圧力を適切な値に制御することが好ましい。
【０００４】
しかしながら、上述した冷凍装置では、一方の圧縮機構が常に低段側圧縮機構として用いられ、他方の圧縮機構が常に高段側圧縮機構として用いられるように構成されていたため、中間圧力を運転条件に応じて適切な値に制御することができなかった。よって、このような圧縮機を備えた冷凍装置では、運転条件が所定の範囲から外れると高いＣＯＰが得られなくなるという問題があった。
【０００５】
本発明は、かかる点に鑑みてなされたものであり、その目的とするところは、複数の圧縮機構が１本の駆動軸で連結された圧縮機が設けられて二段圧縮冷凍サイクルを行う冷凍装置において、運転条件の変化に拘わらず高いＣＯＰを得ることにある。
【課題を解決するための手段】
【０００６】
第１の発明は、複数の回転式の圧縮機構（41,42）が１本の駆動軸（50）で連結された圧縮機（30）が接続された冷媒回路（11）と、上記圧縮機（30）の中間圧冷媒を冷却する冷却手段（7）とを備えて二段圧縮冷凍サイクルを行う冷凍装置であって、上記圧縮機（30）は、それぞれ連絡通路（161,162）を介して直列に接続された３つ以上の圧縮室（74,94,53）を備え、上記複数の連絡通路（161,162）のうちのいずれか１つの連絡通路を流れる冷媒が上記冷却手段（7）によって冷却される一方、上記冷却手段（7）の冷却対象となる連絡通路（161,162）を変更する変更手段（8）を備えている。
【０００７】
第１の発明では、３つ以上の圧縮室（74,94,53）のうちの冷却手段（7）によって冷却される冷媒が流れる連絡通路（161）よりも上流側の圧縮室（74）が低段側の圧縮室となり、該連絡通路（161）よりも下流側の圧縮室（94,53）が高段側の圧縮室となって二段圧縮冷凍サイクルが行われる。また、上記冷凍装置（10）は、冷却手段（7）の冷却対象となる連絡通路（161,162）を変更する変更手段（8）を備えている。そのため、変更手段（8）によって冷却手段（7）の冷却対象となる連絡通路（161,162）が変更されると、３つ以上の圧縮室（74,94,53）の低段側と高段側との振り分けが変更され、二段圧縮冷凍サイクルの中間圧力が変動する。
【０００８】
第２の発明は、第１の発明において、上記冷却手段（7）は、上記圧縮機（30）から吐出され、上記冷媒回路（11）の放熱器（14,15）において冷却された冷媒の一部を上記連絡通路（161,162）に導くインジェクション通路（26,5,6）を備えている。
【０００９】
第２の発明では、インジェクション通路（26,5,6）を介して、冷媒回路（11）の放熱器（14,15）において冷却された冷媒の一部が連絡通路（161,162）に導かれると、連絡通路（161,162）を流れる圧縮途中の冷媒がインジェクション通路（26,5,6）からの冷媒と合流して冷却される。
【００１０】
第３の発明は、第１の発明において、上記冷却手段（7）は、上記連絡通路（161,162）を流れる冷媒を冷却する熱交換器（19）を備えている。
【００１１】
第３の発明では、冷却手段（7）は、連絡通路（161,162）を流れる冷媒を冷却する熱交換器（19）を備えている。よって、該熱交換器（19）において連絡通路（161,162）の冷媒が熱媒体と熱交換することによって冷却される。
【００１２】
第４の発明は、第２又は第３の発明において、上記変更手段（8）は、上記冷却手段（7）が接続される連絡通路（161,162）を切り換える切換機構（62,191,192）を有している。
【００１３】
第４の発明では、変更手段（8）の切換機構（62,191,192）によって冷却手段（7）が接続される連絡通路（161,162）を切り換えることができるため、冷却手段（7）を複数の連絡通路（161,162）毎に設けなくてもよい。
【００１４】
第５の発明は、第１乃至第４のいずれか１つの発明において、上記圧縮機（30）は、順に直列に接続された第１圧縮室（74）、第２圧縮室（94）及び第３圧縮室（53）を備え、上記第１圧縮室（74）と上記第２圧縮室（94）とが第１連絡通路（161）によって接続される一方、上記第２圧縮室（94）と上記第３圧縮室（53）とが第２連絡通路（162）によって接続され、上記変更手段（8）は、上記冷却手段（7）によって第１連絡通路（161）を流れる冷媒が冷却される第１の状態と、上記冷却手段（7）によって第２連絡通路（162）を流れる冷媒が冷却される第２の状態とを切換可能に構成されている。
【００１５】
第５の発明では、変更手段（8）によって第１の状態に切り換えられると、冷却手段（7）によって第１圧縮室（74）と第２圧縮室（94）とを接続する第１連絡通路（161）を流れる冷媒が冷却される。これにより、第１の状態では、第１圧縮室（74）が低段側の圧縮室となり、第２圧縮室（94）及び第３圧縮室（53）が高段側の圧縮室となる。一方、変更手段（8）によって第２の状態に切り換えられると、冷却手段（7）によって第２圧縮室（94）と第３圧縮室（53）とを接続する第２連絡通路（162）を流れる冷媒が冷却される。これにより、第２の状態では、第１圧縮室（74）及び第２圧縮室（94）が低段側の圧縮室となり、第３圧縮室（53）が高段側の圧縮室となる。よって、変更手段（8）によって第１の状態と第２の状態とが切り換えられることにより、低段側の圧縮室と高段側の圧縮室の振り分けを容易に変更することができる。
【００１６】
第６の発明は、第５の発明において、上記第１圧縮室（74）及び上記第２圧縮室（94）の吐出ポート（79,80,99,100）には、それぞれ該吐出ポート（79,80,99,100）を開閉するための吐出弁（82,83,102,103）が設けられている。
【００１７】
第６の発明では、第１圧縮室（74）及び第２圧縮室（94）の吐出ポート（79,80,99,100）には、吐出弁（82,83,102,103）が設けられている。そのため、両圧縮室（74,94）では、該圧縮室（74,94）の圧力が吐出圧力（吐出ポート（79,80,99,100）の外側の圧力）に達すると吐出弁（82,83,102,103）が開いて冷媒が吐出される。つまり、両圧縮室（74,94）では、該圧縮室（74,94）が接続された冷媒回路（11）の運転条件（圧力状態）に応じて吐出容積（吐出行程の開始時点における圧縮室（74,94）の容積）が変動する。
【００１８】
ここで、上記変更手段（8）が第１の状態と第２の状態とを切り換えることにより、第１圧縮室（74）と第２圧縮室（94）とを接続する第１連絡通路（161）を流れる冷媒と、第２圧縮室（94）と第３圧縮室（53）とを接続する第２連絡通路（162）を流れる冷媒とは、冷却される状態と冷却されない状態とにそれぞれ切り換えられる。このように、冷却／非冷却が切り換えられると、第１連絡通路（161）及び第２連絡通路（162）の冷媒の圧力は大きく変化することとなる。
【００１９】
しかし、第６の発明では、第１圧縮室（74）及び第２圧縮室（94）の吐出ポート（79,80,99,100）に、それぞれ吐出弁（82,83,102,103）が設けられているため、上記圧力変動に応じて、第１圧縮室（74）の吐出容積と第２圧縮室（94）の吐出容積が変動することとなる。そのため、第１圧縮室（74）及び第２圧縮室（94）では過圧縮損失や逆流損失が抑制される。
【００２０】
第７の発明は、第１乃至第６のいずれか１つの発明において、上記冷媒回路（11）には、冷媒として二酸化炭素が充填されている。
【００２１】
第７の発明では、冷媒回路（11）に充填された冷媒としての二酸化炭素は、低段側圧縮機構に吸入されて中間圧力状態となるまで圧縮された後、高段側圧縮機構に吸入されて臨界圧力よりも高い高圧圧力状態となるまで圧縮される。
【発明の効果】
【００２２】
本発明によれば、上記変更手段（8）を備えているため、運転条件の変化に伴って冷却手段（7）の冷却対象となる連絡通路（161,162）を変更することにより、３つ以上の圧縮室（74,94,53）の低段側と高段側との振り分けを容易に変更することができる。従って、本発明によれば、二段圧縮冷凍サイクルの中間圧力を容易に変動（上昇又は低下）させることができ、運転条件の変化に拘わらず高いＣＯＰを得ることができる。
【００２３】
また、第２及び第３の発明によれば、冷却手段（7）を容易に構成することができる。
【００２４】
また、第４の発明によれば、変更手段（8）の切換機構（62,191,192）によって冷却手段（7）が接続される連絡通路（161,162）を変更することができるため、冷却手段（7）を複数の連絡通路（161,162）毎に設けずに、低段側の圧縮室と高段側の圧縮室の振り分けを容易に変更することができる。
【００２５】
また、第５の発明によれば、変更手段（8）によって、第１連絡通路（161）を流れる冷媒が冷却される第１の状態と、第２連絡通路（162）を流れる冷媒が冷却される第２の状態とを切り換えることにより、３つの圧縮室（74,94,53）の低段側と高段側との振り分けを容易に行うことができる。従って、二段圧縮冷凍サイクルの中間圧力を容易に変動（上昇又は低下）させることができる。
【００２６】
また、第６の発明によれば、第１圧縮室（74）及び第２圧縮室（94）の吐出ポート（79,80,99,100）に、それぞれ吐出弁（82,83,102,103）が設けられているため、第１連絡通路（161）及び第２連絡通路（162）において冷却／非冷却が切り換えられることによる連絡通路内の圧力変動に応じて、第１圧縮室（74）の吐出容積と第２圧縮室（94）の吐出容積が変動する。従って、第１圧縮室（74）及び第２圧縮室（94）における過圧縮損失や逆流損失を抑制することができる。
【００２７】
また、第７の発明によれば、二酸化炭素を冷媒とする二段圧縮冷凍サイクルでは、放熱損失が大きく、高い成績係数（ＣＯＰ）を得難いという問題があるため、上記変更手段（8）を設けてＣＯＰの向上を図る意義がより大きくなる。
【発明を実施するための最良の形態】
【００２８】
以下、本発明の実施形態を図面に基づいて詳細に説明する。
【００２９】
《発明の実施形態１》
以下、本発明の実施形態を図面に基づいて詳細に説明する。なお、以下の実施形態では、本発明に係る冷凍装置の一例として、空気調和装置について説明する。
【００３０】
〈空気調和装置の全体構成〉
図１に示すように、本実施形態１の空気調和装置（10）は、冷房運転と暖房運転を行う空気調和装置により構成されている。空気調和装置（10）は、冷凍サイクルを行う冷媒回路（11）を備えている。冷媒回路（11）には、冷媒として二酸化炭素が充填されている。また、冷媒回路（11）には、圧縮機（30）、四路切換弁（12）、室外熱交換器（14）、室内熱交換器（15）、第１膨張弁（16）、第２膨張弁（17）及び気液分離器（18）が接続されている。
【００３１】
圧縮機（30）は、密閉容器状のケーシング（40）を備えている。ケーシング（40）内には、第１圧縮機構（41）と第２圧縮機構（42）と電動機（47）とが収容されている。また、ケーシング（40）には、第１低段吸入管（31）、第１低段吐出管（32）、第２低段吸入管（33）、連絡吐出管（34）、高段吸入管（35）、及び高段吐出管（36）が接続されている。
【００３２】
上記第１低段吸入管（31）は、第１圧縮機構（41）の第１圧縮機構部（43）の第１圧縮室（74）の吸入側に接続され、第１低段吐出管（32）は、該第１圧縮室（74）の吐出側に接続されている。第２低段吸入管（33）は、第１圧縮機構（41）の第２圧縮機構部（44）の第２圧縮室（94）の吸入側に接続され、該第２圧縮室（94）の吐出側はケーシング（40）内における第１圧縮機構（41）と電動機（47）との間の第１空間（45）に開口している。連絡吐出管（34）は、ケーシング（40）内における第２圧縮機構（42）と電動機（47）との間の第２空間（46）に開口している。高段吸入管（35）は、第２圧縮機構（42）の第３圧縮室（53）の吸入側に接続され、高段吐出管（36）は該第３圧縮室（53）の吐出側に接続されている。
【００３３】
また、上記第１低段吸入管（31）は、低圧ガス管（1）を介して四路切換弁（12）の第３ポート（P3）に接続されている。第１低段吐出管（32）は、第１連絡管（2）を介して第２低段吸入管（33）に接続されている。連絡吐出管（34）は、第２連絡管（3）を介して高段吸入管（35）に接続されている。高段吐出管（36）は、高圧ガス管（4）を介して四路切換弁（12）の第１ポート（P1）に接続されている。
【００３４】
このような構成により、第１圧縮室（74）と第２圧縮室（94）とは、第１連絡管（2）によって構成される第１連絡通路（161）によって接続され、第２圧縮室（94）と第３圧縮室（53）とは、ケーシング（40）の内部空間（第１空間（45）及び第２空間（46））と第２連絡管（3）とによって構成される第２連絡通路（162）によって接続されている。
【００３５】
なお、圧縮機（30）のケーシング（40）の内部の詳細については後述する。
【００３６】
上記四路切換弁（12）は、第１〜第４ポート（P1,P2,P3,P4）を備え、第１ポート（P1）と第２ポート（P2）とが連通し且つ第３ポート（P3）と第４ポート（P4）とが連通する第１状態（図１に実線で示す状態）と、第１ポート（P1）と第４ポート（P4）とが連通し且つ第２ポート（P2）と第３ポート（P3）とが連通する第２状態（図１に破線で示す状態）とが切換自在に構成されている。
【００３７】
上記室外熱交換器（14）は、クロスフィン式のフィン・アンド・チューブ型熱交換器により構成されている。室外熱交換器（14）の近傍には、室外ファン（24）が配置されている。室外熱交換器（14）では、室外ファン（24）によって送られる室外空気と冷媒との間で熱交換が行われる。室外熱交換器（14）の一端から延びる冷媒配管は、四路切換弁（12）の第２ポート（P2）に接続されている。室外熱交換器（14）の他端から延びる冷媒配管は、気液分離器（18）内の底部に開口している。この冷媒配管には、開度可変の電子膨張弁により構成された第１膨張弁（16）が設けられている。
【００３８】
上記室内熱交換器（15）は、クロスフィン式のフィン・アンド・チューブ型熱交換器により構成されている。室内熱交換器（15）の近傍には、室内ファン（25）が配置されている。室内熱交換器（15）では、室内ファン（25）によって送られる室内空気と冷媒との間で熱交換が行われる。室内熱交換器（15）の一端から延びる冷媒配管は、四路切換弁（12）の第４ポート（P4）に接続されている。室内熱交換器（15）の他端から延びる冷媒配管は、気液分離器（18）内の底部に開口している。この冷媒配管には、開度可変の電子膨張弁により構成された第２膨張弁（17）が設けられている。
【００３９】
上記気液分離器（18）には、本発明に係る冷却手段（7）の一部を構成するインジェクション管（26）の一端が接続されている。インジェクション管（26）は、気液分離器（18）内の上部に開口している。インジェクション管（26）の他端は本発明に係る変更手段（8）の切換機構を構成する三路切換弁（62）の第１ポート（P1）に接続されている。インジェクション管（26）には、開閉自在の電磁弁（27）が設けられている。
【００４０】
上記三路切換弁（62）は、第１〜第３ポート（P1,P2,P3）を備え、第１ポート（P1）と第２ポート（P2）とが連通する第１の位置と、第１ポート（P1）と第３ポート（P3）とが連通する第２の位置とに切換自在に構成されている。また、三路切換弁（62）の第２ポート（P2）には、第１インジェクション管（5）の一端が接続され、該第１インジェクション管（5）の他端は、第１圧縮室（74）と第２圧縮室（94）とを接続する第１連絡通路（161）の第１連絡管（2）の中途部に接続されている。一方、三路切換弁（62）の第３ポート（P3）には、第２インジェクション管（6）の一端が接続され、該第２インジェクション管（6）の他端は、第２圧縮室（94）と第３圧縮室（53）とを接続する第２連絡通路（162）の第２連絡管（3）の中途部に接続されている。
【００４１】
空気調和装置（10）は、第１圧縮室（74）と第２圧縮室（94）とを接続する第１連絡通路（161）又は第２圧縮室（94）と第３圧縮室（53）とを接続する第２連絡通路（162）を流れる冷媒を冷却する冷却手段（7）を備えている。なお、実施形態１では、冷却手段（7）は、冷媒回路（11）の放熱器において冷却された冷媒の一部を第１連絡管（2）又は第２連絡管（3）に導くインジェクション通路によって構成されている。また、実施形態１では、該インジェクション通路は、インジェクション管（26）及び第１インジェクション管（5）又はインジェクション管（26）及び第２インジェクション管（6）によって構成されている。
【００４２】
このような構成により、上記変更手段（8）の切換機構を構成する三路切換弁（62）は、上記冷却手段（7）を構成するインジェクション通路を流れる冷媒によって第１圧縮室（74）から第２圧縮室（94）へ流れる冷媒が冷却される第１の状態と、第２圧縮室（94）から第３圧縮室（53）へ流れる冷媒が冷却される第２の状態とに切り換える。
【００４３】
具体的には、三路切換弁（62）が第１の位置に切り換えられると、第１ポート（P1）と第２ポート（P2）とが連通し、インジェクション管（26）及び第１インジェクション管（5）によって構成されるインジェクション通路が第１圧縮室（74）と第２圧縮室（94）とを接続する第１連絡通路（161）の第１連絡管（2）に接続される。これにより、冷媒回路（11）の放熱器で冷却された冷媒がインジェクション通路を介して第１連絡管（2）の中途部に流入し、第１圧縮室（74）から第２圧縮室（94）へ流れる冷媒が、該インジェクション通路を流れる冷媒によって冷却される第１の状態となる。
【００４４】
一方、三路切換弁（62）が第２の位置に切り換えられると、第１ポート（P1）と第３ポート（P3）とが連通し、インジェクション管（26）及び第２インジェクション管（6）によって構成されるインジェクション通路が第２圧縮室（94）と第３圧縮室（53）とを接続する第２連絡通路（162）の第２連絡管（3）に接続される。これにより、冷媒回路（11）の放熱器で冷却された冷媒がインジェクション通路を介して第２連絡管（3）の中途部に流入し、第２圧縮室（94）から第３圧縮室（53）へ流れる冷媒が、該インジェクション通路を流れる冷媒によって冷却される第２の状態となる。
【００４５】
〈圧縮機の構成〉
図２に示すように、圧縮機（30）は、縦長で密閉容器状のケーシング（40）を備えている。ケーシング（40）内には、上述したように、第１圧縮機構（41）と、第２圧縮機構（42）と、第１圧縮機構（41）及び第２圧縮機構（42）を駆動する電動機（47）とが収容されている。第１圧縮機構（41）及び第２圧縮機構（42）は、１本の駆動軸（50）で連結されている。
【００４６】
第１圧縮機構（41）は、図２における電動機（47）の下側に配置されている。第１圧縮機構（41）は、第１圧縮機構部（43）及び第２圧縮機構部（44）を備えている。第１圧縮機構部（43）及び第２圧縮機構部（44）は、第１圧縮機構部（43）が下側に位置するように、上下二段に重ねられている。一方、第２圧縮機構（42）は、電動機（47）の上側に配置されている。
【００４７】
ケーシング（40）の胴部には、第１低段吸入管（31）及び第１低段吐出管（32）が貫通している。上述したように、第１低段吸入管（31）は第１圧縮機構部（43）の第１圧縮室（74）の吸入側に接続され、第１低段吐出管（32）は該第１圧縮室（74）の吐出側に接続されている。また、ケーシング（40）の胴部には、第２低段吸入管（33）及び連絡吐出管（34）が貫通している。上述したように、第２低段吸入管（33）は第２圧縮機構部（44）の第２圧縮室（94）の吸入側に接続され、連絡吐出管（34）は、第２空間（46）に開口している。なお、第２圧縮室（94）の吐出側は、第１空間（45）に開口している。
【００４８】
また、ケーシング（40）の頂部には、高段吸入管（35）及び高段吐出管（36）が貫通している。上述したように、高段吸入管（35）は第２圧縮機構（42）の第３圧縮室（53）の吸入側に接続され、高段吐出管（36）は該第３圧縮室（53）の吐出側に接続されている。
【００４９】
上記電動機（47）は、ブラシレスＤＣモータにより構成されている。電動機（47）は、ステータ（48）とロータ（49）とを備えている。ステータ（48）は、ケーシング（40）の胴部に固定されている。一方、ロータ（49）は、ステータ（48）の内側に配置され、駆動軸（50）の主軸部（50a）に連結されている。なお、電動機（47）の回転速度は、インバータ制御によって調節可能となっている。
【００５０】
上記駆動軸（50）は、上述の主軸部（50a）と、第１偏心部（50b）と、第２偏心部（50c）と、第３偏心部（50d）とを備えている。第１偏心部（50b）と第２偏心部（50c）とは、駆動軸（50）の下部寄りの位置にそれぞれ設けられている。第１偏心部（50b）と第２偏心部（50c）の軸心は、それぞれ主軸部（50a）の軸心に対して偏心している。第１偏心部（50b）と第２偏心部（50c）とは、駆動軸（50）の軸心を中心として互いに１８０°位相がずれている。また、第３偏心部（50d）は、主軸部（50a）の上端面に立設されている。第３偏心部（50d）の軸心は、主軸部（50a）の軸心に対して偏心している。
【００５１】
上記駆動軸（50）の下端部には、油溜まりに浸漬する給油ポンプ（66）が設けられている。また、駆動軸（50）には、給油ポンプ（66）が吸い上げた冷凍機油が流通する給油通路が形成されている（図示省略）。給油通路は、駆動軸（50）の内部を軸方向に沿って延びている。この圧縮機（30）では、駆動軸（50）の回転に伴って、給油ポンプ（66）が吸い上げた冷凍機油が給油通路を通じて各圧縮機構（41,42）の摺動部及び駆動軸（50）の軸受部に供給される。
【００５２】
上記第１圧縮機構（41）は、上述したように、第１圧縮機構部（43）及び第２圧縮機構部（44）を備えている。第１圧縮機構部（43）及び第２圧縮機構部（44）は、同じ機械要素により構成されている。
【００５３】
第１圧縮機構部（43）は、図２及び図３に示すように、ケーシング（40）に固定された第１シリンダ（72）と、環状の第１ピストン（70）を有して駆動軸（50）によって駆動される第１可動部材（71）とを備えている。第１圧縮機構部（43）は、後述する第１可動側鏡板部（71a）の背面が第２圧縮機構部（44）側を向くように設けられている。なお、図３において括弧付きの符号が併記されている部材は、括弧がない符号が第１圧縮機構部（43）の符号を表し、括弧内の符号が第２圧縮機構部（44）の符号を表している。この点は、図４についても同様である。
【００５４】
第１シリンダ（72）は、円盤状の第１固定側鏡板部（72a）と、第１固定側鏡板部（72a）の上面の内寄りの位置から上方に突出する環状の第１内側シリンダ部（72b）と、第１固定側鏡板部（72a）の上面の外周部から上方に突出する環状の第１外側シリンダ部（72c）とを備えている。第１内側シリンダ部（72b）の外周面と第１外側シリンダ部（72c）の内周面とは同軸になっている。第１シリンダ（72）は、第１内側シリンダ部（72b）の外周面と第１外側シリンダ部（72c）の内周面との間に形成された環状の第１圧縮室（74）を有している。また、第１シリンダ（72）には、駆動軸（50）を支持する第１固定側軸受部（72d）が形成されている。
【００５５】
一方、第１可動部材（71）は、円盤状の第１可動側鏡板部（71a）と、上述の第１ピストン（70）と、第１可動側鏡板部（71a）の下面の内周端部から下方に突出する第１可動側軸受部（71b）とを備えている。第１可動側鏡板部（71a）は、第１固定側鏡板部（72a）と同様に、第１圧縮室（74）に面している。
【００５６】
第１ピストン（70）は、第１可動側鏡板部（71a）の下面のやや外周寄りの位置から下方に突出している。第１ピストン（70）は、環状の一部が分断されたＣ型形状をしている。第１ピストン（70）は、外周面が第１外側シリンダ部（72c）の内周面よりも小径で、内周面が第１内側シリンダ部（72b）の外周面よりも大径に形成されている。第１ピストン（70）は、第１シリンダ（72）に対して偏心して第１圧縮室（74）に収納され、第１圧縮室（74）を第１外側圧縮室（75）と第１内側圧縮室（76）とに区画している。
【００５７】
なお、第１ピストン（70）と第１シリンダ（72）とは、第１ピストン（70）の外周面と第１外側シリンダ部（72c）の内周面とが１点で実質的に接する状態（厳密にはミクロンオーダーの隙間があるが、その隙間での冷媒の漏れが問題にならない状態）において、その接点と位相が１８０°異なる位置で、第１ピストン（70）の内周面と第１内側シリンダ部（72b）の外周面とが１点で実質的に接するようになっている。この点は、第２圧縮機構部（44）においても同じである。
【００５８】
第１可動側軸受部（71b）には、第１偏心部（50b）が嵌合している。第１可動部材（71）は、駆動軸（50）の回転に伴い主軸部（50a）の軸心を中心として偏心回転運動する。なお、第１圧縮機構部（43）では、第１可動側軸受部（71b）と第１内側シリンダ部（72b）との間に、第１可動側軸受部（71b）の偏心回転運動を許容するための第１軸側空間（84）が形成されている。この第１軸側空間（84）では冷媒の圧縮は行われない。
【００５９】
また、第１圧縮機構部（43）は、図３に示すように、第１内側シリンダ部（72b）の外周面から第１外側シリンダ部（72c）の内周面まで延びる第１ブレード（73）を備えている。第１ブレード（73）は、区画部材を構成している。第１ブレード（73）は、第１シリンダ（72）に固定されている。なお、第１ブレード（73）は、本実施形態１では第１シリンダ（72）とは別部材であるが、第１シリンダ（72）と一体的に形成してもよい。
【００６０】
第１ブレード（73）は、第１圧縮室（74）に配置され、第１外側圧縮室（75）を吸入側の第１室（75a）と吐出側の第２室（75b）とに区画し、第１内側圧縮室（76）を吸入側の第１室（76a）と吐出側の第２室（76b）とに区画している。第１ブレード（73）は、環状の一部が分断されたＣ型形状の第１ピストン（70）の分断箇所を挿通している。
【００６１】
また、第１ピストン（70）の分断箇所には、第１ブレード（73）を挟むように、一対の第１ブッシュ（77a,77b）が嵌合している。一対の第１ブッシュ（77a,77b）は、いずれも断面形状が略半円形で同一形状に形成され、フラット面同士が対向するように配置されている。一対の第１ブッシュ（77a,77b）のフラット面の間のスペースは、第１ブレード溝（85）を構成している。なお、この実施形態１では一対の第１ブッシュ（77a,77b）を別体とした例について説明したが、一対の第１ブッシュ（77a,77b）が一部で連結することにより一体構造としてもよい。この点は、後述する第２ブッシュ（97a,97b）についても同様である。
【００６２】
第１ブレード溝（85）には第１ブレード（73）が挿入されている。この状態では、各第１ブッシュ（77a,77b）のフラット面が第１ブレード（73）と実質的に面接触し、各第１ブッシュ（77a,77b）の円弧状の外周面が第１ピストン（70）と実質的に面接触している。一対の第１ブッシュ（77a,77b）は、第１ブレード溝（85）に第１ブレード（73）を挟んだ状態で、第１ブレード（73）の面方向に進退するように構成されている。また、一対の第１ブッシュ（77a,77b）は、第１ピストン（70）が第１ブレード（73）に対して揺動するように構成されている。これにより、第１ピストン（70）は、第１ブレード（73）の延伸方向に進退可能であり、さらに一対の第１ブッシュ（77a,77b）の中心点を揺動中心として第１ブッシュ（77a,77b）と共に揺動可能になっている。
【００６３】
第１圧縮機構部（43）には、第１低段吸入管（31）が接続されている。第１低段吸入管（31）は、第１固定側鏡板部（72a）に形成された第１吸入通路（78）に接続されている。第１吸入通路（78）は、入口側が第１固定側鏡板部（72a）の径方向に延び、途中で上方へ折れ曲がって、出口側が第１固定側鏡板部（72a）の軸方向に延びている。第１吸入通路（78）の出口端は、第１外側圧縮室（75）と第１内側圧縮室（76）の両方に開口している。
【００６４】
また、第１圧縮機構部（43）には、第１外側圧縮室（75）から冷媒を吐出させる第１外側吐出ポート（79）と、第１内側圧縮室（76）から冷媒を吐出させる第１内側吐出ポート（80）と、第１外側吐出ポート（79）及び第１内側吐出ポート（80）の両方が開口する第１吐出空間（81）とが形成されている。
【００６５】
第１外側吐出ポート（79）は、第１外側圧縮室（75）の第２室（75b）と第１吐出空間（81）とを連通している。第１外側吐出ポート（79）には、第１外側吐出弁（82）が設けられている。一方、第１内側吐出ポート（80）は、第１内側圧縮室（76）の第２室（76b）と第１吐出空間（81）とを連通している。第１内側吐出ポート（80）には、第１内側吐出弁（83）が設けられている。第１吐出空間（81）には、第１低段吐出管（32）の入口端が開口している。
【００６６】
以上の構成により、駆動軸（50）が回転すると、第１ピストン（70）は、図４の(Ａ)から(Ｈ）の順に偏心回転する。そして、その偏心回転に伴って、第１外側圧縮室（75）及び第１内側圧縮室（76）では、１本の第１低段吸入管（31）を通じて導入された冷媒が圧縮される。第１外側圧縮室（75）及び第１内側圧縮室（76）から吐出された冷媒は、第１低段吐出管（32）に流入する。
【００６７】
なお、第１ピストン（70）と第１外側シリンダ部（72c）の接触点と、第１ピストン（70）と第１内側シリンダ部（72b）の接触点とは、駆動軸（50）の軸心回りに１８０°ずれている。このため、第１外側圧縮室（75）と第１内側圧縮室（76）とでは、冷媒を圧縮する動作の状態の位相が１８０°ずれている。従って、第１圧縮機構部（43）では、吸入冷媒の流量がゼロになることがなく、連続的に冷媒の吸入が行われる。
【００６８】
第２圧縮機構部（44）は、第１圧縮機構部（43）と同じ機械要素によって構成されている。第２圧縮機構部（44）は、ミドルプレート（69）を挟んで、第１圧縮機構部（43）とは上下反転した状態で設けられている。
【００６９】
具体的に、第２圧縮機構部（44）は、ケーシング（40）に固定された第２シリンダ（92）と、環状の第２ピストン（90）を有して駆動軸（50）によって駆動される第２可動部材（91）とを備えている。第２圧縮機構部（44）は、後述する第２可動側鏡板部（91a）の背面が第１圧縮機構部（43）側を向くように設けられている。
【００７０】
第２シリンダ（92）は、円盤状の第２固定側鏡板部（92a）と、第２固定側鏡板部（92a）の下面の内寄りの位置から下方に突出する環状の第２内側シリンダ部（92b）と、第２固定側鏡板部（92a）の下面の外周部から下方に突出する環状の第２外側シリンダ部（92c）とを備えている。第２内側シリンダ部（92b）の外周面と第２外側シリンダ部（92c）の内周面とは同軸になっている。第２シリンダ（92）は、第２内側シリンダ部（92b）の外周面と第２外側シリンダ部（92c）の内周面との間に形成された環状の第２圧縮室（94）を有している。また、第２シリンダ（92）には、駆動軸（50）を支持する第２固定側軸受部（92d）が形成されている。
【００７１】
一方、第２可動部材（91）は、円盤状の第２可動側鏡板部（91a）と、上述の第２ピストン（90）と、第２可動側鏡板部（91a）の上面の内周端部から上方に突出する第２可動側軸受部（91b）とを備えている。第２可動側鏡板部（91a）は、第２固定側鏡板部（92a）と同様に、第２圧縮室（94）に面している。
【００７２】
第２ピストン（90）は、第２可動側鏡板部（91a）の上面のやや外周寄りの位置から上方に突出している。第２ピストン（90）は、環状の一部が分断されたＣ型形状をしている。第２ピストン（90）は、外周面が第２外側シリンダ部（92c）の内周面よりも小径で、内周面が第２内側シリンダ部（92b）の外周面よりも大径に形成されている。第２ピストン（90）は、第２シリンダ（92）に対して偏心して第２圧縮室（94）に収納され、第２圧縮室（94）を第２外側圧縮室（95）と第２内側圧縮室（96）とに区画している。
【００７３】
第２可動側軸受部（91b）には、第２偏心部（50c）が嵌合している。第２可動部材（91）は、駆動軸（50）の回転に伴い主軸部（50a）の軸心を中心として偏心回転運動する。なお、第２圧縮機構部（44）では、第２可動側軸受部（91b）と第２内側シリンダ部（92b）との間に、第２可動側軸受部（91b）の偏心回転運動を許容するための第２軸側空間（104）が形成されている。この第２軸側空間（104）では冷媒の圧縮は行われない。
【００７４】
また、第２圧縮機構部（44）は、図３に示すように、第２内側シリンダ部（92b）の外周面から第２外側シリンダ部（92c）の内周面まで延びる第２ブレード（93）を備えている。第２ブレード（93）は、区画部材を構成している。第２ブレード（93）は、第２シリンダ（92）に固定されている。なお、第２ブレード（93）は、本実施形態１では第２シリンダ（92）とは別部材であるが、第２シリンダ（92）と一体的に形成してもよい。
【００７５】
第２ブレード（93）は、第２圧縮室（94）に配置され、第２外側圧縮室（95）を吸入側の第１室（95a）と吐出側の第２室（95b）とに区画し、第２内側圧縮室（96）を吸入側の第１室（96a）と吐出側の第２室（96b）とに区画している。第２ブレード（93）は、環状の一部が分断されたＣ型形状の第２ピストン（90）の分断箇所を挿通している。
【００７６】
また、第２ピストン（90）の分断箇所には、第２ブレード（93）を挟むように一対の第２ブッシュ（97a,97b）が嵌合している。一対の第２ブッシュ（97a,97b）は、いずれも断面形状が略半円形で同一形状に形成され、フラット面同士が対向するように配置されている。一対の第２ブッシュ（97a,97b）のフラット面の間のスペースは、第２ブレード溝（105）を構成している。
【００７７】
第２ブレード溝（105）には第２ブレード（93）が挿入されている。この状態では、各第２ブッシュ（97a,97b）のフラット面が第２ブレード（93）と実質的に面接触し、各第２ブッシュ（97a,97b）の円弧状の外周面が第２ピストン（90）と実質的に面接触している。一対の第２ブッシュ（97a,97b）は、第２ブレード溝（105）に第２ブレード（93）を挟んだ状態で、第２ブレード（93）の面方向に進退するように構成されている。また、一対の第２ブッシュ（97a,97b）は、第２ピストン（90）が第２ブレード（93）に対して揺動するように構成されている。これにより、第２ピストン（90）は、第２ブレード（93）の延伸方向に進退可能であり、さらに一対の第２ブッシュ（97a,97b）の中心点を揺動中心として第２ブッシュ（97a,97b）と共に揺動可能になっている。
【００７８】
第２圧縮機構部（44）には、第２低段吸入管（33）が接続されている。第２低段吸入管（33）は、第２固定側鏡板部（92a）に形成された第２吸入通路（98）に接続されている。第２吸入通路（98）は、入口側が第２固定側鏡板部（92a）の径方向に延び、途中で下方へ折れ曲がって、出口側が第２固定側鏡板部（92a）の軸方向に延びている。第２吸入通路（98）の出口端は、第２外側圧縮室（95）と第２内側圧縮室（96）の両方に開口している。
【００７９】
また、第２圧縮機構部（44）には、第２外側圧縮室（95）から冷媒を吐出させる第２外側吐出ポート（99）と、第２内側圧縮室（96）から冷媒を吐出させる第２内側吐出ポート（100）と、第２外側吐出ポート（99）及び第２内側吐出ポート（100）の両方が開口する第２吐出空間（101）とが形成されている。第２外側吐出ポート（99）は、第２外側圧縮室（95）の第２室（95b）と第２吐出空間（101）とを連通している。第２外側吐出ポート（99）には、第２外側吐出弁（102）が設けられている。一方、第２内側吐出ポート（100）は、第２内側圧縮室（96）の第２室（96b）と第２吐出空間（101）とを連通している。第２内側吐出ポート（100）には、第２内側吐出弁（103）が設けられている。第２吐出空間（101）は、第１空間（45）及び第２空間（46）を介して、連絡吐出管（34）に連通している。
【００８０】
以上の構成により、駆動軸（50）が回転すると、第２ピストン（90）は、図４の(Ａ)から(Ｈ）の順に偏心回転する。そして、その偏心回転に伴って、第２外側圧縮室（95）及び第２内側圧縮室（96）では、１本の第２低段吸入管（33）を通じて導入された冷媒が圧縮される。第２外側圧縮室（95）及び第２内側圧縮室（96）から吐出された冷媒は、高段吐出管（36）に流入する。
【００８１】
なお、第２ピストン（90）と第２外側シリンダ部（92c）の接触点と、第２ピストン（90）と第２内側シリンダ部（92b）の接触点とは、駆動軸（50）の軸心回りに１８０°ずれている。このため、第２外側圧縮室（95）と第２内側圧縮室（96）とでは、冷媒を圧縮する動作の状態の位相が１８０°ずれている。従って、第２圧縮機構部（44）では、吸入冷媒の流量がゼロになることがなく、連続的に冷媒の吸入が行われる。
【００８２】
また、第１偏心部（50b）と第２偏心部（50c）とは、駆動軸（50）の軸心を中心として互いに１８０°位相がずれている。従って、第１圧縮機構部（43）の動作状態が図４（Ａ）のとき、第２圧縮機構部（44）の動作状態は図４（Ｅ）となる。
【００８３】
続いて、第２圧縮機構（42）について説明する。第２圧縮機構（42）は、スクロール式の圧縮機構により構成されている。第２圧縮機構（42）は、図４及び図５に示すように、固定スクロール（51）と可動スクロール（52）とを備えている。
【００８４】
固定スクロール（51）は、渦巻き状の固定側ラップ（51a）と、略円板状の固定側鏡板部（51b）とを備えている。固定側ラップ（51a）は、固定側鏡板部（51b）の前面（図２における下面）に立設されている。
【００８５】
可動スクロール（52）は、渦巻き状の可動側ラップ（52a）と、略円板状の可動側鏡板部（52b）と、筒状の突出部（52c）とを備えている。可動スクロール（52）は、オルダムリング（54）を介して、駆動軸（50）の軸受部が形成されたハウジング部材（38）の上面に載置されている。なお、オルダムリング（54）は、偏心回転運動中の可動スクロール（52）が自転することを阻止する。
【００８６】
可動側ラップ（52a）は、可動側鏡板部（52b）の前面（図２における上面）に立設されている。可動側ラップ（52a）は、固定側ラップ（51a）に噛み合わされている。
【００８７】
本実施形態１の第２圧縮機構（42）は、可動側ラップ（52a）と固定側ラップ（51a）とが非対称に形成された非対称渦巻き構造になっている。固定側ラップ（51a）の巻き数（渦巻きの長さ）は、可動側ラップ（52a）の巻き数（渦巻きの長さ）よりも多くなっている。なお、固定側ラップ（51a）の巻数は、固定側ラップ（51a）の渦巻きが後述する吸入ポート（55）の外側の位置まで延びているものとして数えている。
【００８８】
また、突出部（52c）は、可動側鏡板部（52b）の背面（図２における下面）に立設されている。突出部（52c）には、駆動軸（50）の第３偏心部（50d）が挿入されている。
【００８９】
第２圧縮機構（42）では、図５に示すように、固定側ラップ（51a）と可動側ラップ（52a）との間に、第３圧縮室（53）を構成する複数の圧縮室が形成されている。複数の圧縮室は、固定側ラップ（51a）の内側面と可動側ラップ（52a）の外側面との間の可動外側室（53a）と、固定側ラップ（51a）の外側面と可動側ラップ（52a）の内側面との間の可動内側室（53b）とから構成されている。
【００９０】
また、第２圧縮機構（42）では、固定スクロール（51）に吸入ポート（55）が形成されている。吸入ポート（55）は、固定側鏡板部（51b）の前面から突出する外縁部（51c）に形成されている。吸入ポート（55）には高段吸入管（35）が接続されている。吸入ポート（55）には、第３圧縮室（53）から高段吸入管（35）へ戻る冷媒の流れを禁止する吸入逆止弁が設けられている（図示省略）。
【００９１】
吸入ポート（55）は、可動スクロール（52）の偏心回転運動に伴って、可動外側室（53a）と可動内側室（53b）のそれぞれに間欠的に連通する。第２圧縮機構（42）では、可動外側室（53a）に可動側ラップ（52a）の外周側端部の外側から冷媒が流入し、可動内側室（53b）に可動側ラップ（52a）の外周側端部の内側から冷媒が流入する。第２圧縮機構（42）では、固定側ラップ（51a）の外周側端部が可動側ラップ（52a）の外周側端部付近に位置しているので、可動外側室（53a）と可動内側室（53b）には、ほぼ同じ位置から冷媒が流入する。また、第２圧縮機構（42）では、一方の圧縮室（53a,53b）における冷媒の吸入が終了した時点では、多方の圧縮室（53a,53b）における冷媒の吸入が行われている。つまり、第２圧縮機構（42）では、吸入冷媒の流量がゼロになることがなく、連続的に流体の吸入が行われる。
【００９２】
また、固定スクロール（51）の固定側鏡板部（51b）には吐出ポート（57）が形成されている。吐出ポート（57）は、固定側鏡板部（51b）の中央部に形成された貫通孔により構成されている。吐出ポート（57）の出口は、固定スクロール（51）の上側の吐出室（63）に開口している。吐出ポート（57）は、可動スクロール（52）の偏心回転運動に伴って、可動外側室（53a）と可動内側室（53b）のそれぞれに間欠的に連通する。
【００９３】
また、固定側鏡板部（51b）には、リリーフポート（58）も形成されている。リリーフポート（58）は、一端が圧縮途中の圧縮室（53a,53b）に開口し、他端が吐出室（63）に開口している。固定側鏡板部（51b）には、リリーフポート（58）を開閉するリリーフバルブ（59）が設けられている。リリーフバルブ（59）は、リード弁により構成されている。このため、圧縮機（30）の始動時や、インジェクション管（26）から導入されるガス冷媒の流量が少なくなった時の過圧縮損失が緩和される。
【００９４】
なお、ケーシング（40）内における第２圧縮機構（42）の上側の空間（65）は、吸入ポート（55）に連通している。なお、この空間（65）が、吐出ポート（57）に連通するようにしてもよい。
【００９５】
以上の構成により、第２圧縮機構（42）では、駆動軸（50）が回転すると、可動スクロール（52）が、図６の(Ａ)から(Ｄ）の順に偏心回転する。そして、その偏心回転に伴って、可動外側室（53a）及び可動内側室（53b）では、高段吸入管（35）を通じて導入された冷媒が圧縮される。可動外側室（53a）及び可動内側室（53b）で圧縮された冷媒は、吐出ポート（57）を通じて、高段吐出管（36）に流入する。
【００９６】
また、本実施形態１では、第１圧縮室（74）の吸入容積Ｖ１（第１ピストン（70）の押しのけ容積）と、第２圧縮室（94）の吸入容積Ｖ２（第２ピストン（90）の押しのけ容積）と、第３圧縮室（53）の吸入容積Ｖ３（可動スクロール（52）の押しのけ容積）との比率が、下記の式１の値に設定されている。なお、これらの吸入容積の間には、Ｖ１＞Ｖ２＞Ｖ３の関係が成立している。
【００９７】
Ｖ１：Ｖ２：Ｖ３＝１．０：０．９：０．７    （式１）
なお、第１圧縮室（74）の吸入容積Ｖ１は、第１外側圧縮室（75）の吸入容積と第１内側圧縮室（76）の吸入容積の合計値である。また、第２圧縮室（94）の吸入容積Ｖ２は、第２外側圧縮室（95）の吸入容積と第２内側圧縮室（96）の吸入容積の合計値である。また、本実施形態１では、可動外側室（53a）の吸入容積と可動内側室（53b）の吸入容積とが等しくなっているが、可動外側室（53a）の吸入容積と可動内側室（53b）の吸入容積とが互いに相違する場合には、可動外側室（53a）の吸入容積と可動内側室（53b）の吸入容積の平均値が第３圧縮室（53）の吸入容積Ｖ３となる。
【００９８】
−運転動作−
次に、空気調和装置（10）の運転動作について説明する。この空気調和装置（10）は、冷房運転等と暖房運転とに切り換え可能となっている。
【００９９】
(冷房運転)
冷房運転では、図７に示すように、四路切換弁（12）が第１状態に設定された状態で、圧縮機（30）の運転が行われる。冷媒回路（11）では室内熱交換器（15）が蒸発器となって室外熱交換器（14）が放熱器となる冷凍サイクルが行われる。なお、この冷凍サイクルでは、冷凍サイクルの高圧圧力が二酸化炭素の臨界圧力よりも高くなる。この点は、後述する暖房運転でも同じである。
【０１００】
具体的に、圧縮機（30）の高段吐出管（36）から吐出された高圧冷媒は、高圧ガス管（4）及び四路切換弁（12）を経由して室外熱交換器（14）へ流入する。室外熱交換器（14）では、室外ファン（24）によって送られる室外空気へ冷媒が放熱する。室外熱交換器（14）で冷却された冷媒は、第１膨張弁（16）で中間圧力に減圧された後に、気液分離器（18）で液冷媒とガス冷媒とに分離される。このうち、ガス冷媒は、電磁弁（27）が開状態に設定されていれば、ガスインジェクション回路（冷却手段（7））を構成するインジェクション管（26）を通じて第１圧縮室（74）と第２圧縮室（94）との間又は第２圧縮室（94）と第３圧縮室（53）との間へ送られる。一方、液冷媒は、第２膨張弁（17）で低圧圧力まで減圧された後に、室内熱交換器（15）に流入する。
【０１０１】
室内熱交換器（15）では、室内ファン（25）によって送られる室内空気から冷媒が吸熱して蒸発する。その結果、室内空気は冷却されて室内へ供給される。室内熱交換器（15）で蒸発した冷媒は、低圧ガス管（1）及び第１低段吸入管（31）を通って圧縮機（30）に吸入される。そして、圧縮機（30）では、第１圧縮機構（41）、第２圧縮機構（42）の順番で冷媒が圧縮されて、再び高段吐出管（36）から吐出される。
【０１０２】
(暖房運転)
暖房運転では、図８に示すように、四路切換弁（12）が第２状態に設定された状態で、圧縮機（30）の運転が行われる。冷媒回路（11）では室内熱交換器（15）が放熱器となって室外熱交換器（14）が蒸発器となる冷凍サイクルが行われる。
【０１０３】
具体的に、圧縮機（30）の高段吐出管（36）から吐出された高圧冷媒は、高圧ガス管（4）及び四路切換弁（12）を経由して室内熱交換器（15）に供給される。室内熱交換器（15）では、室内ファン（25）によって送られる室内空気へ冷媒が放熱する。その結果、室内空気は加熱されて室内へ供給される。
【０１０４】
室内熱交換器（15）で冷却された冷媒は、第２膨張弁（17）で中間圧力に減圧された後に、気液分離器（18）で液冷媒とガス冷媒とに分離される。このうち、ガス冷媒は、電磁弁（27）が開状態に設定されていれば、インジェクション管（26）を通じて第１圧縮機構（41）の第１圧縮機構部（43）と第２圧縮機構部（44）との間又は第１圧縮機構（41）と第２圧縮機構（42）との間へ送られる。一方、液冷媒は、第１膨張弁（16）で低圧圧力まで減圧された後に、室外熱交換器（14）へ流入する。
【０１０５】
室外熱交換器（14）では、室外ファン（24）によって送られる室外空気から冷媒が吸熱して蒸発する。室外熱交換器（14）で蒸発した冷媒は、低圧ガス管（1）及び第１低段吸入管（31）を通って圧縮機（30）に吸入される。そして、圧縮機（30）では、第１圧縮機構（41）、第２圧縮機構（42）の順番で冷媒が圧縮されて、再び高段吐出管（36）から吐出される。
【０１０６】
(変更手段の制御)
本実施形態１では、空気調和装置（10）の運転条件が変化すると、変更手段（8）を構成する三路切換弁（62）によって第１の状態と第２の状態とに切り換えられる。
【０１０７】
具体的には、三路切換弁（62）が第１の位置に切り換えられると、冷却手段（7）によって第１圧縮室（74）から第２圧縮室（94）へ流れる冷媒が冷却される第１の状態となる。一方、三路切換弁（62）が第２の位置に切り換えられると、冷却手段（7）によって第２圧縮室（94）から第３圧縮室（53）へ流れる冷媒が冷却される第２の状態となる。なお、実施形態１では、冷房運転に切り換えられる際に、三路切換弁（62）が第１の位置に切り換えられて上記第１の状態となり（図７参照）、暖房運転に切り換えられる際に、三路切換弁（62）が第２の位置に切り換えられて上記第２の状態となる（図８参照）。以下、それぞれの状態について詳述する。
【０１０８】
図７に示すように、上記第１の状態では、インジェクション管（26）と第１インジェクション管（5）とが連通される。第１インジェクション管（5）は、第１圧縮室（74）と第２圧縮室（94）とを接続する第１連絡通路（161）の第１連絡管（2）の中途部に接続されているため、第１の状態では、インジェクション管（26）が第１インジェクション管（5）を介して第１圧縮室（74）と第２圧縮室（94）との間に接続されることとなる。そのため、３つの圧縮室（74,94,53）における冷媒の流れは以下のようになる。
【０１０９】
低圧ガス管（1）の低圧圧力状態の冷媒は、まず第１圧縮室（74）に吸入され、該第１圧縮室（74）において中間圧力状態となるまで圧縮される。
【０１１０】
第１圧縮室（74）において中間圧力状態となるまで圧縮された冷媒は、第１連絡通路（161）（第１連絡管（2））を通って第２圧縮室（94）に吸入される。なお、第１連絡通路（161）の中途部には、気液分離器（18）において液冷媒と分離されたガス冷媒がインジェクション管（26）及び第１インジェクション管（5）を介して流入する。そのため、第１連絡通路（161）を流れる冷媒は、インジェクション管（26）から流入するガス冷媒によって冷却された後、第２圧縮室（94）に吸入される。
【０１１１】
第２圧縮室（94）に吸入された冷媒は、該第２圧縮室（94）において圧縮され、第２連絡通路（162）（第１空間（45）、第２空間（46）及び第２連絡管（3））を通って第３圧縮室（53）に吸入される。第３圧縮室（53）に吸入された冷媒は、該第３圧縮室（53）において高圧圧力状態となるまで圧縮される。
【０１１２】
第３圧縮室（53）において高圧圧力状態となるまで圧縮された冷媒は、高圧ガス管（4）に流入する。
【０１１３】
このように第１の状態では、気液分離器（18）において液冷媒と分離されたガス冷媒によって第１圧縮室（74）と第２圧縮室（94）との間の冷媒が冷却される。これにより、第１圧縮室（74）が低段側の圧縮室として用いられる一方、第２圧縮室（94）及び第３圧縮室（53）が直列に接続されて高段側の圧縮室として用いられることとなる。
【０１１４】
一方、上記第２の状態では、インジェクション管（26）と第２インジェクション管（6）とが連通される。第２インジェクション管（6）は、第２圧縮室（94）と第３圧縮室（53）とを接続する第２連絡通路（162）の第２連絡管（3）の中途部に接続されているため、第２の状態では、インジェクション管（26）が第２インジェクション管（6）を介して第２圧縮室（94）と第３圧縮室（53）との間に接続されることとなる。そのため、３つの圧縮室（74,94,53）における冷媒の流れは以下のようになる。
【０１１５】
低圧ガス管（1）の低圧圧力状態の冷媒は、まず第１圧縮室（74）に吸入されて圧縮される。そして、第１圧縮室（74）において圧縮された冷媒は、第１連絡通路（161）（第１連絡管（2））を通って第２圧縮室（94）に吸入され、該第２圧縮室（94）において中間圧力状態となるまで圧縮される。
【０１１６】
第２圧縮室（94）において中間圧力状態となるまで圧縮された冷媒は、第２連絡通路（162）（第１空間（45）、第２空間（46）及び第２連絡管（3））を通って第３圧縮室（53）に吸入され、該第３圧縮室（53）において高圧圧力状態となるまで圧縮される。なお、第２連絡通路（162）の中途部には、気液分離器（18）において液冷媒と分離されたガス冷媒がインジェクション管（26）及び第２インジェクション管（6）を介して流入する。そのため、第２連絡通路（162）を流れる冷媒は、インジェクション管（26）から流入するガス冷媒によって冷却された後、第３圧縮室（53）に吸入される。
【０１１７】
第３圧縮室（53）において高圧圧力状態となるまで圧縮された冷媒は、高圧ガス管（4）に流入する。
【０１１８】
このように第２の状態では、気液分離器（18）において液冷媒と分離されたガス冷媒によって第２圧縮室（94）と第３圧縮室（53）との間の冷媒が冷却される。これにより、第１圧縮室（74）及び第２圧縮室（94）が直列に接続されて低段側の圧縮室として用いられる一方、第３圧縮室（53）が高段側の圧縮室として用いられる。
【０１１９】
以上より、第１の状態では、第１圧縮室（74）が低段側の圧縮室として用いられる一方、第２圧縮室（94）及び第３圧縮室（53）が高段側の圧縮室として用いられる。一方、第２の状態では、第１圧縮室（74）及び第２圧縮室（94）が低段側の圧縮室として用いられる一方、第３圧縮室（53）が高段側の圧縮室として用いられる。よって、変更手段（8）の切換機構を構成する三路切換弁（62）によって、第１の状態又は第２の状態に切り換えられると、３つの圧縮室（74,94,53）の低段側と高段側との振り分けが変更されて、二段圧縮冷凍サイクルの中間圧力が変動することとなる。
【０１２０】
なお、ここで、本空気調和装置（10）の圧縮機（30）は、１本の駆動軸（50）に３つの圧縮室（74,94,53）を有する２つの圧縮機構（41,42）が連結されている。そのため、例えば、低段側の圧縮室と高段側の圧縮室との組合せを冷房運転において好適な組合せに設定し、該組合せを変更することなく暖房運転を行うと、暖房運転において中間圧力の値が低圧と高圧との中間よりも低くなる一方、上記組合せを暖房運転において好適な値に設定し、該組合せを変更することなく冷房運転を行うと、冷房運転において中間圧力の値が低圧と高圧との中間よりも高くなる。そのため、いずれか一方の運転条件において中間圧力が低圧と高圧との平均値となるように低段側の圧縮室と高段側の圧縮室との組合せを設定すると、他方の運転条件において中間圧力が低圧と高圧との平均値から大きくずれてしまうこととなる。
【０１２１】
しかし、本空気調和装置（10）では、上述のように、冷房運転又は暖房運転に切り換えられる際に、変更手段（8）によって低段側の圧縮室と高段側の圧縮室との組合せが変更される。これにより、中間圧力が低圧と高圧との平均値に近づけることができ、いずれの運転において高いＣＯＰを得ることができる。
【０１２２】
なお、本実施形態１では、第２圧縮室（94）の吸入容積Ｖ２と第３圧縮室（53）の吸入容積Ｖ３とは、異なる値に設定されている。そのため、低段側の圧縮室と高段側の圧縮室の吸入容積の比率（吸入容積比）Ｖｒは、上記第１の状態ではＶ２／Ｖ１となり、上記第２の状態ではＶ３／Ｖ１となる。これにより、上記三路切換弁（62）によって第１の状態から第２の状態に切り換えられると、吸入容積比Ｖｒは小さくなる一方、第２の状態から第１の状態に切り換えられると、吸入容積比Ｖｒは大きくなる。よって、本実施形態１では、三路切換弁（62）によって第１の状態又は第２の状態に切り換えられると、吸入容積比Ｖｒが変更されることからも、二段圧縮冷凍サイクルの中間圧力が変動することとなる。
【０１２３】
なお、第２圧縮室（94）の吸入容積Ｖ２と第３圧縮室（53）の吸入容積Ｖ３とが等しい値に設定されていても、三路切換弁（62）によって第１の状態又は第２の状態に切り換えられることによって二段圧縮冷凍サイクルの中間圧力が変動することは上述のとおりである。
【０１２４】
−実施形態１の効果−
本空気調和装置（10）では、空気調和装置（10）は、冷却手段（7）の冷却対象となる連絡通路（161,162）を変更する変更手段（8）を備えている。そのため、変更手段（8）によって冷却手段（7）の冷却対象となる連絡通路（161,162）を変更することにより、３つの圧縮室（74,94,53）の低段側と高段側との振り分けを容易に変更することができる。従って、二段圧縮冷凍サイクルの中間圧力を容易に変動（上昇又は低下）させることができ、運転条件の変化に拘わらず高いＣＯＰを得ることができる。
【０１２５】
また、本空気調和装置（10）では、冷却手段（7）を、圧縮機（30）から吐出されて冷媒回路（11）の放熱器（室外熱交換器（14）、室内熱交換器（15））において冷却された冷媒の一部を第１連絡通路（161）又は第２連絡通路（162）に導くインジェクション通路（インジェクション管（26）及び第１インジェクション管（5）、インジェクション管（26）及び第２インジェクション管（6））によって構成している。これにより、冷却手段（7）を容易に構成することができる。
【０１２６】
また、本空気調和装置（10）では、変更手段（8）は、冷却手段（7）としてのインジェクション通路の接続先を切り換える三路切換弁（62）を備えている。これにより、三路切換弁（62）を切り換えると、冷却手段（7）としてのインジェクション通路の接続先を容易に変更することができる。従って、本実施形態１によれば、冷却手段（7）としてのインジェクション通路を連絡通路（161,162）毎に設ける必要がない。よって、冷媒回路（11）を容易に構成しつつ、二段圧縮冷凍サイクルの中間圧力を容易に変動（上昇又は低下）させることができる。
【０１２７】
また、本空気調和装置（10）では、変更手段（8）によって第１の状態に切り換えられると、冷却手段（7）によって第１圧縮室（74）と第２圧縮室（94）とを接続する第１連絡通路（161）を流れる冷媒が冷却される。これにより、第１の状態では、第１圧縮室（74）が低段側の圧縮室となり、第２圧縮室（94）及び第３圧縮室（53）が高段側の圧縮室となる。一方、変更手段（8）によって第２の状態に切り換えられると、冷却手段（7）によって第２圧縮室（94）と第３圧縮室（53）とを接続する第２連絡通路（162）を流れる冷媒が冷却される。これにより、第２の状態では、第１圧縮室（74）及び第２圧縮室（94）が低段側の圧縮室となり、第３圧縮室（53）が高段側の圧縮室となる。よって、変更手段（8）によって第１の状態と第２の状態とが切り換えられることにより、低段側の圧縮室と高段側の圧縮室の振り分けを容易に変更することができ、二段圧縮冷凍サイクルの中間圧力を容易に変動（上昇又は低下）させることができる。
【０１２８】
また、本空気調和装置（10）では、第１圧縮室（74）及び第２圧縮室（94）の吐出ポート（79,80,99,100）には、それぞれ該吐出ポート（79,80,99,100）を開閉するための吐出弁（82,83,102,103）が設けられている。そのため、両圧縮室（74,94）では、該圧縮室（74,94）の圧力が吐出圧力（吐出ポート（79,80,99,100）の外側の圧力）に達すると吐出弁（82,83,102,103）が開いて冷媒が吐出される。つまり、両圧縮室（74,94）では、該圧縮室（74,94）が接続された冷媒回路（11）の運転条件（圧力状態）に応じて吐出容積（吐出行程の開始時点における圧縮室（74,94）の容積）が変動する。
【０１２９】
ここで、上記変更手段（8）が第１の状態と第２の状態とを切り換えることにより、第１圧縮室（74）と第２圧縮室（94）とを接続する第１連絡通路（161）を流れる冷媒と、第２圧縮室（94）と第３圧縮室（53）とを接続する第２連絡通路（162）を流れる冷媒とは、冷却される状態と冷却されない状態とにそれぞれ切り換えられる。このように、冷却／非冷却が切り換えられると、第１連絡通路（161）及び第２連絡通路（162）の冷媒の圧力は大きく変化することとなる。
【０１３０】
しかし、本空気調和装置（10）では、第１圧縮室（74）及び第２圧縮室（94）の吐出ポート（79,80,99,100）に、それぞれ吐出弁（82,83,102,103）が設けられているため、上記圧力変動に応じて、第１圧縮室（74）の吐出容積と第２圧縮室（94）の吐出容積が変動することとなる。従って、第１圧縮室（74）及び第２圧縮室（94）における過圧縮損失や逆流損失を抑制することができる。
【０１３１】
また、本空気調和装置（10）では、二酸化炭素を冷媒としている。二酸化炭素を冷媒とする二段圧縮冷凍サイクルでは、放熱損失が大きく、高い成績係数（ＣＯＰ）を得難いという問題がある。そのため、二酸化炭素を冷媒として用いた本空気調和装置（10）に変更手段（8）を設けて運転条件に応じて中間圧力を変動させてＣＯＰの向上を図る意義はより大きいものとなる。
【０１３２】
また、いずれかの圧縮室（74,94,53）において冷媒をアンロードさせることによって中間圧力の調節を行うことも可能であるが、そのような場合、該圧縮室（74,94,53）において冷媒が無駄に圧縮されることとなるため、効率の向上を図ることができない。しかしながら、本空気調和装置（10）では、冷却手段（7）によって冷却される冷媒が流れる連絡通路（161,162）を変更することによって容易に中間圧力を調節することができる。また、いずれかの圧縮室（74,94,53）において冷媒をアンロードさせる場合、該圧縮室（74,94,53）では容積変化の大きい回転角度から圧縮が始まるために軸トルクの変化が大きくなって振動が抑制できないという問題があるが、本空気調和装置（10）では、冷媒をアンロードさせることなく中間圧力の調節が可能であるため、軸トルクの変化を抑制して振動を抑制することができる。
【０１３３】
また、本空気調和装置（10）では、第１圧縮機構（41）で圧縮された全ての冷媒が電動機（47）を通過する。冷媒が電動機（47）を通る際には、冷媒に含まれる冷凍機油の一部が、電動機（47）に付着することによって、冷媒から分離される。従って、より多くの冷凍機油を冷媒から分離することが可能である。これにより、第３圧縮室（53）に、油含有率の低い冷媒を供給することができるため、圧縮機（30）の油上がりを抑制することができる。
【０１３４】
《発明の実施形態２》
本発明の実施形態２について説明する。以下では、実施形態１と異なる点について説明する。
【０１３５】
実施形態２の冷媒回路（11）では、図９に示すように、冷却手段（7）が、中間冷却器（19）により構成されている。中間冷却器（19）の近傍には、冷却用ファン（20）が設置され、該中間冷却器（19）では、冷却用ファン（20）によって送られる室外空気と冷媒との間で熱交換が行われる。また、変更手段（8）の切換機構が、第２四路切換弁（191）と第３四路切換弁（192）により構成されている。
【０１３６】
第２四路切換弁（191）は、第１ポート（P1）が第３連絡管（151）を介して第１低段吐出管（32）に接続され、第２ポート（P2）が第４連絡管（152）を介して中間冷却器（19）に接続され、第３ポート（P3）が第５連絡管（153）を介して連絡吐出管（34）に接続され、第４ポート（P4）が第６連絡管（154）を介して第３四路切換弁（192）の第３ポート（P3）に接続されている。
【０１３７】
一方、第３四路切換弁（192）は、第１ポート（P1）が第７連絡管（155）を介して中間冷却器（19）に接続され、第２ポート（P2）が第８連絡管（156）を介して第２低段吸入管（33）に接続され、第３ポート（P3）には上記第６連絡管（154）が接続され、第４ポート（P4）が第９連絡管（157）を介して高段吸入管（35）に接続されている。
【０１３８】
各四路切換弁（191,192）は、第１ポート（P1）と第２ポート（P2）とが連通し且つ第３ポート（P3）と第４ポート（P4）とが連通する第１の位置と、第１ポート（P1）と第４ポート（P4）とが連通し且つ第２ポート（P2）と第３ポート（P3）とが連通する第２の位置とに切換可能に構成されている。なお、各四路切換弁（191,192）は複数の電磁弁を代用することができる。
【０１３９】
また、本実施形態２では、第１圧縮室（74）の吸入容積Ｖ１（第１ピストン（70）の押しのけ容積）と、第２圧縮室（94）の吸入容積Ｖ２（第２ピストン（90）の押しのけ容積）と、第３圧縮室（53）の吸入容積Ｖ３（可動スクロール（52）の押しのけ容積）との比率が、下記の式１の値に設定されている。なお、これらの吸入容積の間には、Ｖ１＞Ｖ２＞Ｖ３の関係が成立している。
【０１４０】
Ｖ１：Ｖ２：Ｖ３＝１．０：０．７：０．５    （式２）
(変更手段の制御)
本実施形態２では、変更手段（8）の切換機構を構成する第２四路切換弁（191）及び第３四路切換弁（192）が共に第１の位置に設定されると、中間冷却器（19）によって第１圧縮室（74）から第２圧縮室（94）へ流れる冷媒を冷却する第１の状態になる。一方、第２四路切換弁（191）及び第３四路切換弁（192）が共に第２の位置に設定されると、中間冷却器（19）によって第２圧縮室（94）から第３圧縮室（53）へ流れる冷媒を冷却する第２の状態になる。
【０１４１】
具体的には、第１の状態では、図９に示すように、第３連絡管（151）と第４連絡管（152）とが連通され、第５連絡管（153）と第６連絡管（154）とが連通される。また、第７連絡管（155）と第８連絡管（156）とが連通され、第６連絡管（154）と第９連絡管（157）とが連通される。これにより、第１圧縮室（74）と第２圧縮室（94）とが、第３連絡管（151）と第４連絡管（152）と第７連絡管（155）と第８連絡管（156）とによって構成される第１連絡通路（161）によって接続される。一方、第２圧縮室（94）と第３圧縮室（53）とが、ケーシング（40）の第１空間（45）及び第２空間（46）と第５連絡管（153）と第６連絡管（154）と第９連絡管（157）とによって構成される第２連絡通路（162）によって接続される。
【０１４２】
よって、第１の状態では、中間冷却器（19）が第１圧縮室（74）と第２圧縮室（94）とを接続する第１連絡通路（161）の中途部（第４連絡管（152）と第７連絡管（155）との間）に接続されることとなる。そのため、３つの圧縮室（74,94,53）における冷媒の流れは以下のようになる。
【０１４３】
低圧ガス管（1）の低圧圧力状態の冷媒は、まず第１圧縮室（74）に吸入され、該第１圧縮室（74）において中間圧力状態となるまで圧縮される。
【０１４４】
第１圧縮室（74）において中間圧力状態となるまで圧縮された冷媒は、第１連絡通路（161）（第３連絡管（151）、第４連絡管（152）、第７連絡管（155）及び第８連絡管（156））を通って第２圧縮室（94）に吸入される。なお、第１連絡通路（161）の中途部には、中間冷却器（19）が接続されている。そのため、第１連絡通路（161）を流れる冷媒は、中間冷却器（19）の冷却用ファン（20）によって送られる室外空気と熱交換して冷却された後、第２圧縮室（94）に吸入される。
【０１４５】
第２圧縮室（94）に吸入された冷媒は、該第２圧縮室（94）において圧縮され、第２連絡通路（162）（第１空間（45）、第２空間（46）、第５連絡管（153）、第６連絡管（154）及び第９連絡管（157））を通って第３圧縮室（53）に吸入される。第３圧縮室（53）に吸入された冷媒は、該第３圧縮室（53）において高圧圧力状態となるまで圧縮される。
【０１４６】
第３圧縮室（53）において高圧圧力状態となるまで圧縮された冷媒は、高圧ガス管（4）に流入する。
【０１４７】
このように第１の状態では、中間冷却器（19）によって第１圧縮室（74）と第２圧縮室（94）との間の冷媒が冷却される。これにより、第１圧縮室（74）が低段側の圧縮室として用いられる一方、第２圧縮室（94）及び第３圧縮室（53）が直列に接続されて高段側の圧縮室として用いられることとなる。
【０１４８】
一方、上記第２の状態では、図１０に示すように、第３連絡管（151）と第６連絡管（154）とが連通され、第４連絡管（152）と第５連絡管（153）とが連通される。また、第７連絡管（155）と第９連絡管（157）とが連通され、第６連絡管（154）と第８連絡管（156）とが連通される。これにより、第１圧縮室（74）と第２圧縮室（94）とが、第３連絡管（151）と第６連絡管（154）と第８連絡管（156）とによって構成される第１連絡通路（161）によって接続される。一方、第２圧縮室（94）と第３圧縮室（53）とが、ケーシング（40）の第１空間（45）及び第２空間（46）と第５連絡管（153）と第４連絡管（152）と第７連絡管（155）と第９連絡管（157）とによって構成される第２連絡通路（162）によって接続される。
【０１４９】
低圧ガス管（1）の低圧圧力状態の冷媒は、まず第１圧縮室（74）に吸入されて圧縮される。そして、第１圧縮室（74）において圧縮された冷媒は、第１連絡通路（第３連絡管（151）、第６連絡管（154）及び第８連絡管（156））を通って第２圧縮室（94）に吸入され、該第２圧縮室（94）において中間圧力状態となるまで圧縮される。
【０１５０】
第２圧縮室（94）において中間圧力状態となるまで圧縮された冷媒は、第２連絡通路（第１空間（45）、第２空間（46）、第５連絡管（153）、第４連絡管（152）、第７連絡管（155）及び第９連絡管（157））を通って第３圧縮室（53）に吸入され、該第３圧縮室（53）において高圧圧力状態となるまで圧縮される。なお、第２連絡通路（162）の中途部には、中間冷却器（19）が接続されている。そのため、第２連絡通路（162）を流れる冷媒は、中間冷却器（19）の冷却用ファン（20）によって送られる室外空気と熱交換して冷却された後、第３圧縮室（53）に吸入される。
【０１５１】
第３圧縮室（53）において高圧圧力状態となるまで圧縮された冷媒は、高圧ガス管（4）に流入する。
【０１５２】
このように第２の状態では、中間冷却器（19）によって第２圧縮室（94）と第３圧縮室（53）との間の冷媒が冷却される。これにより、第１圧縮室（74）及び第２圧縮室（94）が直列に接続されて低段側の圧縮室として用いられる一方、第３圧縮室（53）が高段側の圧縮室として用いられる。
【０１５３】
以上より、第１の状態では、第１圧縮室（74）が低段側の圧縮室として用いられる一方、第２圧縮室（94）及び第３圧縮室（53）が高段側の圧縮室として用いられる。一方、第２の状態では、第１圧縮室（74）及び第２圧縮室（94）が低段側の圧縮室として用いられる一方、第３圧縮室（53）が高段側の圧縮室として用いられる。よって、変更手段（8）の切換機構を構成する第２四路切換弁（191）及び第３四路切換弁（192）によって、第１の状態又は第２の状態に切り換えられると、３つの圧縮室（74,94,53）の低段側と高段側との振り分けが変更されて、二段圧縮冷凍サイクルの中間圧力が変動することとなる。
【０１５４】
−実施形態２の効果−
実施形態２の空気調和装置（10）においても、実施形態１と同様に、変更手段（8）を構成する２つの四路切換弁（191,192）によって冷却手段（7）を構成する中間冷却器（19）が接続される連絡通路（161,162）を変更することにより、３つの圧縮室（74,94,53）の低段側と高段側との振り分けを容易に変更することができる。従って、二段圧縮冷凍サイクルの中間圧力を容易に変動（上昇又は低下）させることができ、運転条件の変化に拘わらず高いＣＯＰを得ることができる。
【０１５５】
−実施形態２の変形例−
上記実施形態２では、第１連絡通路（161）を流れる冷媒を冷却する冷却手段（7）と第２連絡通路（162）を流れる冷媒を冷却する冷却手段（7）とを１つの中間冷却器（19）を併用することで構成していたが、第１連絡通路（161）を流れる冷媒を冷却する冷却手段（7）と第２連絡通路（162）を流れる冷媒を冷却する冷却手段（7）とは別個の中間冷却器（19）によって冷却されるように構成してもよい。また、中間冷却器（19）だけでなく、実施形態１のようなインジェクション通路を併用して冷却手段（7）としてもよい。
【０１５６】
《発明の実施形態３》
本発明の実施形態３について説明する。以下では、実施形態１と異なる点について説明する。
【０１５７】
この実施形態３では、図１１に示すように、第１圧縮機構（41）及び第２圧縮機構（42）の構成が上記実施形態１と相違している。なお、第１圧縮機構（41）及び第２圧縮機構（42）は共に電動機（47）の下側に配置され、第２圧縮機構（42）は第１圧縮機構（41）の上方に配置されている。各圧縮機構の詳細な構成については後述する。
【０１５８】
実施形態３では、ケーシング（40）には、第１低段吸入管（31）、第１低段吐出管（32）、第２低段吸入管（33）、高段吸入管（35）、高段吐出管（36）、及び第２低段吐出管（37）が接続されている。
【０１５９】
上記第１低段吸入管（31）は、第１圧縮機構（41）の第１圧縮室（74）の吸入側に接続され、第１低段吐出管（32）は、該第１圧縮室（74）の吐出側に接続されている。第２低段吸入管（33）は、第１圧縮機構（41）の第２圧縮室（94）の吸入側に接続され、第２低段吐出管（37）は、該第２圧縮室（94）の吐出側に接続されている。高段吸入管（35）は、第２圧縮機構（42）の第３圧縮室（53）の吸入側に接続され、高段吐出管（36）は、その入口端がケーシング（40）の内部空間（145）の上層部において開口している。
【０１６０】
また、上記第１低段吸入管（31）は、低圧ガス管（1）を介して四路切換弁（12）の第３ポート（P3）に接続されている。第１低段吐出管（32）は、第１連絡管（2）を介して第２低段吸入管（33）に接続されている。第２低段吐出管（37）は、第２連絡管（3）を介して高段吸入管（35）に接続されている。高段吐出管（36）は、高圧ガス管（4）を介して四路切換弁（12）の第１ポート（P1）に接続されている。また、第１連絡管（2）には第１マフラー（2a）が設けられ、第２連絡管（3）には第２マフラー（3a）が設けられている。
【０１６１】
このような構成により、第１圧縮室（74）と第２圧縮室（94）とは、第１連絡管（2）及び第１マフラー（2a）によって構成される第１連絡通路（161）によって接続され、第２圧縮室（94）と第３圧縮室（53）とは、第２連絡管（3）及び第２マフラー（3a）によって構成される第２連絡通路（162）によって接続されている。
【０１６２】
なお、実施形態３では、冷却手段（7）は、冷媒回路（11）の放熱器において冷却された冷媒の一部を第１連絡管（2）又は第２連絡管（3）に導くインジェクション通路によって構成されている。
【０１６３】
また、実施形態３では、該インジェクション通路は、インジェクション管（26）及び第１インジェクション管（5）又はインジェクション管（26）及び第２インジェクション管（6）によって構成されている。第１インジェクション管（5）の中途部には第１電磁弁（5a）が設けられ、第２インジェクション管（6）の中途部には第２電磁弁（6a）が設けられている。
【０１６４】
さらに、実施形態３では、上記第１電磁弁（5a）及び第２電磁弁（6a）が、本発明に係る上記変更手段（8）の切換機構を構成し、図示しないコントローラによって開閉制御される。
【０１６５】
このような構成により、上記変更手段（8）の切換機構を構成する第１電磁弁（5a）及び第２電磁弁（6a）が、上記冷却手段（7）を構成するインジェクション通路を流れる冷媒によって第１圧縮室（74）から第２圧縮室（94）へ流れる冷媒が冷却される第１の状態と、第２圧縮室（94）から第３圧縮室（53）へ流れる冷媒が冷却される第２の状態とに切り換える。
【０１６６】
具体的には、第１電磁弁（5a）が開状態に切り換えられる一方、第２電磁弁（6a）が閉状態に切り換えられると、冷媒回路（11）の放熱器で冷却された冷媒がインジェクション管（26）及び第１インジェクション管（5）によって構成されるインジェクション通路を介して第１連絡管（2）の中途部に流入する。これにより、第１圧縮室（74）から第２圧縮室（94）へ流れる冷媒が、該インジェクション通路を流れる冷媒によって冷却される第１の状態となる。
【０１６７】
一方、第１電磁弁（5a）が閉状態に切り換えられる一方、第２電磁弁（6a）が開状態に切り換えられると、冷媒回路（11）の放熱器で冷却された冷媒がインジェクション管（26）及び第２インジェクション管（6）によって構成されるインジェクション通路を介して第２連絡管（3）の中途部に流入する。これにより、第２圧縮室（94）から第３圧縮室（53）へ流れる冷媒が、該インジェクション通路を流れる冷媒によって冷却される第２の状態となる。
【０１６８】
〈圧縮機の構成〉
上記第１圧縮機構（41）は、実施形態１の第１圧縮機構部（43）とほぼ同様に構成されるが、第１外側圧縮室（75）が第１圧縮室（74）を構成し、第１内側圧縮室（76）が第２圧縮室（94）を構成する点において実施形態１の第１圧縮機構部（43）と相違する。なお、第１圧縮機構（41）は、駆動軸（50）の下側偏心部（50e）に嵌合する一方、第２圧縮機構（42）は、駆動軸（50）の上側偏心部（50f）に嵌合している。
【０１６９】
また、第１圧縮機構（41）には、第１低段吸入管（31）及び第２低段吸入管（33）が接続されている。第１低段吸入管（31）は、第１圧縮室（74）の吸入側に接続されている。第２低段吸入管（33）は、第２圧縮室（94）の吸入側に連通する第１吸入通路（78）に接続されている。
【０１７０】
さらに、第１圧縮機構（41）には、第１圧縮室（74）から冷媒を吐出させる外側吐出ポート（79）と、第２圧縮室（94）から冷媒を吐出させる内側吐出ポート（80）と、外側吐出ポート（79）が開口する外側吐出室（108）と、内側吐出ポート（80）が開口する内側吐出室（111）とが形成されている。外側吐出室（108）には、第１低段吐出管（32）の入口端が開口している。一方、内側吐出室（111）には、第２低段吐出管（37）の入口端が開口している。また、外側吐出ポート（79）には、外側吐出弁（82）が設けられ、内側吐出ポート（80）には、内側吐出弁（83）が設けられている。
【０１７１】
以上の構成により、駆動軸（50）が回転すると、第１圧縮室（74）では、第１低段吸入管（31）を通じて導入された冷媒が圧縮される。そして、第１圧縮室（74）で圧縮された冷媒は、外側吐出ポート（109）を通って第１低段吐出管（32）に流入する。一方、第２圧縮室（94）では、第２低段吸入管（33）を通じて導入された冷媒が圧縮される。そして、第２圧縮室（94）で圧縮された冷媒は、内側吐出ポート（110）を通って第２低段吐出管（37）に流入する。。
【０１７２】
一方、上記第２圧縮機構（42）は、ロータリ式の流体機械により構成されている。具体的には、第２圧縮機構（42）は、共に円環状に形成されたシリンダ（171）及びロータリピストン（172）を備えている。シリンダ（171）は、上側のフロントヘッド（68）と下側のミドルプレート（69）とによって挟み込まれている。シリンダ（171）の両端は、フロントヘッド（68）とミドルプレート（69）とによって閉塞されている。また、ロータリピストン（172）は、シリンダ（171）内に配置されている。ロータリピストン（172）の外径は、シリンダ（171）の内径よりも小さくなっている。シリンダ（171）の内周面とロータリピストン（172）の外周面との間には、第３圧縮室（53）が形成されている。ロータリピストン（172）の内側には、駆動軸（50）の上側偏心部（50f）が回転自在に嵌め込まれている。
【０１７３】
図１３に示すように、ロータリピストン（172）の外周面には、平板状のブレード（174）が突設されている。ブレード（174）は、吸入ポート（176）が開口する低圧側の第１室（53c）と、吐出ポート（177）が開口する高圧側の第２室（53d）とに、第３圧縮室（53）を区画している。
【０１７４】
ブレード（174）は、シリンダ（171）に対して揺動可能に設けられた一対の第１揺動ブッシュ（175）に対して、摺動自在に挟み込まれている。ロータリピストン（172）は、ブレード（174）と共に、シリンダ（171）に対して揺動可能になっている。
【０１７５】
吸入ポート（176）は、シリンダ（171）に形成されている。吸入ポート（176）の入口側には、高段吸入管（35）が接続されている。吸入ポート（176）の出口は、一対の第１揺動ブッシュ（175）の一方の揺動ブッシュ（図１３における右側の揺動ブッシュ）の近傍に開口している。
【０１７６】
一方、吐出ポート（177）は、フロントヘッド（68）に形成されている。吐出ポート（177）の入口は、一対の第１揺動ブッシュ（175）の他方の揺動ブッシュ（図１３における左側の揺動ブッシュ）の近傍に開口している。吐出ポート（177）の出口は、フロントヘッド（68）に形成された吐出室（178）に開口している。吐出室（178）は、ケーシング（40）内の内部空間（145）に開口している。また、吐出室（178）には、吐出ポート（177）を開閉する吐出弁（179）が設けられている。吐出弁（179）はリード弁により構成されている。吐出室（178）には、吐出弁（179）のリフト量を制限する弁押さえが設けられている（図示省略）。
【０１７７】
以上の構成により、第２圧縮機構（42）では、駆動軸（50）が回転すると、ロータリピストン（172）が、図１４の(Ａ)から(Ｈ）の順に偏心回転する。ロータリピストン（172）は、その内周面が上側偏心部（50f）の外周面と油膜を介して摺接し、その外周面がシリンダ（71）の内周面と油膜を介して摺接しながら、偏心回転する。
【０１７８】
第２圧縮機構（42）では、駆動軸（50）の回転角が０°の状態から僅かに回転して、ロータリピストン（172）とシリンダ（171）の接触位置が吸入ポート（176）の出口を通過すると、吸入ポート（176）から第３圧縮室（53）へ冷媒が流入し始める。そして、第３圧縮室（53）へは、駆動軸（50）の回転角が３６０°になるまで冷媒が流入し続ける。そして、この状態から駆動軸（50）がさらに回転すると、冷媒の圧縮が開始される。第３圧縮室（53）の冷媒は、第３圧縮室（53）の内力が吐出室（178）の内圧を上回って、吐出弁（179）が開状態になると、吐出ポート（177）を通って、吐出室（178）へ吐出される。冷媒の吐出は、駆動軸（50）の回転角が３６０°になるまで続く。
【０１７９】
−運転動作−
次に、空気調和装置（10）の運転動作について説明する。この空気調和装置（10）は、冷房運転等と暖房運転とに切り換え可能となっている。なお、冷房運転動作及び暖房運転動作は実施形態１と同様であるため、説明を省略する。
【０１８０】
(変更手段の制御)
本実施形態３では、空気調和装置（10）の運転条件が変化すると、変更手段（8）を構成する第１電磁弁（5a）及び第２電磁弁（6a）によって第１の状態と第２の状態とに切り換えられる。
【０１８１】
具体的には、第１電磁弁（5a）が開状態に切り換えられる一方、第２電磁弁（6a）が閉状態に切り換えられると、冷却手段（7）によって第１圧縮室（74）から第２圧縮室（94）へ流れる冷媒が冷却される第１の状態となる。一方、第１電磁弁（5a）が閉状態に切り換えられる一方、第２電磁弁（6a）が開状態に切り換えられると、冷却手段（7）によって第２圧縮室（94）から第３圧縮室（53）へ流れる冷媒が冷却される第２の状態となる。なお、実施形態３では、冷房運転に切り換えられる際に、第１電磁弁（5a）が開状態に切り換えられる一方、第２電磁弁（6a）が閉状態に切り換えられて上記第１の状態となり（図１１参照）、暖房運転に切り換えられる際に、第１電磁弁（5a）が閉状態に切り換えられる一方、第２電磁弁（6a）が開状態に切り換えられて上記第２の状態となる（図１５参照）。以下、それぞれの状態について詳述する。
【０１８２】
図１１に示すように、上記第１の状態では、低圧ガス管（1）の低圧圧力状態の冷媒は、まず第１圧縮室（74）に吸入され、該第１圧縮室（74）において中間圧力状態となるまで圧縮される。
【０１８３】
第１圧縮室（74）において中間圧力状態となるまで圧縮された冷媒は、第１連絡通路（161）（第１連絡管（2）及び第１マフラー（2a））を通って第２圧縮室（94）に吸入される。なお、第１連絡通路（161）の中途部（第１マフラー（2a））には、気液分離器（18）において液冷媒と分離されたガス冷媒がインジェクション管（26）及び第１インジェクション管（5）を介して流入する。そのため、第１連絡通路（161）を流れる冷媒は、インジェクション管（26）から流入するガス冷媒によって冷却された後、第２圧縮室（94）に吸入される。
【０１８４】
第２圧縮室（94）に吸入された冷媒は、該第２圧縮室（94）において圧縮され、第２連絡通路（162）（第２連絡管（3）及び第２マフラー（3a））を通って第３圧縮室（53）に吸入される。第３圧縮室（53）に吸入された冷媒は、該第３圧縮室（53）において高圧圧力状態となるまで圧縮される。
【０１８５】
第３圧縮室（53）において高圧圧力状態となるまで圧縮された冷媒は、高圧ガス管（4）に流入する。
【０１８６】
このように第１の状態では、気液分離器（18）において液冷媒と分離されたガス冷媒によって第１圧縮室（74）と第２圧縮室（94）との間の冷媒が冷却される。これにより、第１圧縮室（74）が低段側の圧縮室として用いられる一方、第２圧縮室（94）及び第３圧縮室（53）が直列に接続されて高段側の圧縮室として用いられることとなる。
【０１８７】
一方、上記第２の状態では、低圧ガス管（1）の低圧圧力状態の冷媒は、まず第１圧縮室（74）に吸入されて圧縮される。そして、第１圧縮室（74）において圧縮された冷媒は、第１連絡通路（161）（第１連絡管（2）及び第１マフラー（2a））を通って第２圧縮室（94）に吸入され、該第２圧縮室（94）において中間圧力状態となるまで圧縮される。
【０１８８】
第２圧縮室（94）において中間圧力状態となるまで圧縮された冷媒は、第２連絡通路（162）（第２連絡管（3）及び第２マフラー（3a））を通って第３圧縮室（53）に吸入され、該第３圧縮室（53）において高圧圧力状態となるまで圧縮される。なお、第２連絡通路（162）の中途部（第２マフラー（3a））には、気液分離器（18）において液冷媒と分離されたガス冷媒がインジェクション管（26）及び第２インジェクション管（6）を介して流入する。そのため、第２連絡通路（162）を流れる冷媒は、インジェクション管（26）から流入するガス冷媒によって冷却された後、第３圧縮室（53）に吸入される。
【０１８９】
第３圧縮室（53）において高圧圧力状態となるまで圧縮された冷媒は、高圧ガス管（4）に流入する。
【０１９０】
このように第２の状態では、気液分離器（18）において液冷媒と分離されたガス冷媒によって第２圧縮室（94）と第３圧縮室（53）との間の冷媒が冷却される。これにより、第１圧縮室（74）及び第２圧縮室（94）が直列に接続されて低段側の圧縮室として用いられる一方、第３圧縮室（53）が高段側の圧縮室として用いられる。
【０１９１】
以上より、第１の状態では、第１圧縮室（74）が低段側の圧縮室として用いられる一方、第２圧縮室（94）及び第３圧縮室（53）が高段側の圧縮室として用いられる。一方、第２の状態では、第１圧縮室（74）及び第２圧縮室（94）が低段側の圧縮室として用いられる一方、第３圧縮室（53）が高段側の圧縮室として用いられる。よって、変更手段（8）の切換機構を構成する第１電磁弁（5a）及び第２電磁弁（6a）を開閉制御することによって、３つの圧縮室（74,94,53）の低段側と高段側との振り分けが変更されて、二段圧縮冷凍サイクルの中間圧力が変動することとなる。
【０１９２】
−実施形態３の効果−
実施形態３の空気調和装置（10）においても、実施形態１と同様に、変更手段（8）を構成する２つの電磁弁（5a,6a）によって冷却手段（7）を構成するインジェクション通路（26,5,6）が接続される連絡通路（161,162）を変更することにより、３つの圧縮室（74,94,53）の低段側と高段側との振り分けを容易に変更することができる。従って、二段圧縮冷凍サイクルの中間圧力を容易に変動（上昇又は低下）させることができ、運転条件の変化に拘わらず高いＣＯＰを得ることができる。
【０１９３】
−実施形態３の変形例−
なお、上記実施形態３では、変更手段（8）の切換機構を第１電磁弁（5a）及び第２電磁弁（6a）によって構成していたが、これらを開度調節が可能な調整弁によって構成し、両調整弁の開度を調節することによって中間圧力を調節することとしてもよい。
【０１９４】
《その他の実施形態》
上述した各実施形態については、以下のような構成としてもよい。
【０１９５】
上記実施形態について、冷媒回路（11）に充填される冷媒が二酸化炭素以外の冷媒（例えばフロン冷媒）であってもよい。
【０１９６】
また、上記実施形態について、第１圧縮室（74）の吸入容積Ｖ１と、第２圧縮室（94）の吸入容積Ｖ２と、第３圧縮室（53）の吸入容積Ｖ３との間の大小関係は、上記各実施形態のものに限られない。
【０１９７】
また、第１圧縮機構（41）と第２圧縮機構（42）は、上記実施形態のものに限られず、駆動軸（50）に連結可能な回転式の圧縮機構であればいかなるものであってもよい。
【０１９８】
さらに、圧縮機（30）は、３つ以上の圧縮機構を備えたものであってもよく、４つ以上の圧縮室を備えたものであってもよい。このようなものであっても、変更手段（8）によって冷却手段（7）によって冷却される連絡通路を変更することにより、二段圧縮冷凍サイクルの中間圧力を容易に変更することができる。
【０１９９】
なお、以上の実施形態は、本質的に好ましい例示であって、本発明、その適用物、あるいはその用途の範囲を制限することを意図するものではない。
【産業上の利用可能性】
【０２００】
以上説明したように、本発明は、流体の多段圧縮を行う圧縮機及びその圧縮機を備えた冷凍装置について有用である。
【図面の簡単な説明】
【０２０１】
【図１】実施形態１に係る冷凍装置の冷媒回路の配管系統図である。
【図２】実施形態１に係る圧縮機の縦断面図である。
【図３】実施形態１に係る第１圧縮機構の横断面図である。
【図４】実施形態１に係る第１圧縮機構の動作を表す横断面図である。
【図５】実施形態１に係る第２圧縮機構の横断面図である。
【図６】実施形態１に係る第２圧縮機構の動作を表す横断面図である。
【図７】実施形態１に係る冷凍装置の冷房運転時の冷媒の流れを表す配管系統図である。
【図８】実施形態１に係る冷凍装置の暖房運転時の冷媒の流れを表す配管系統図である。
【図９】実施形態２に係る冷凍装置の冷房運転時の冷媒の流れを表す配管系統図である。
【図１０】実施形態２に係る冷凍装置の暖房運転時の冷媒の流れを表す配管系統図である。
【図１１】実施形態３に係る冷凍装置の冷房運転時の冷媒の流れを表す配管系統図である。
【図１２】実施形態３に係る圧縮機の縦断面図である。
【図１３】実施形態３に係る第２圧縮機構の横断面図である。
【図１４】実施形態３に係る第２圧縮機構の動作を表す横断面図である。
【図１５】実施形態３に係る冷凍装置の暖房運転時の冷媒の流れを表す配管系統図である。
【符号の説明】
【０２０２】
５      第１インジェクション管 
５ａ    第１電磁弁
６      第２インジェクション管
６ａ    第２電磁弁 
７      冷却手段 
８      変更手段 
１０      空気調和装置（冷凍装置）
１１      冷媒回路
１９      中間冷却器（熱交換器）
２６      インジェクション管 
２７      電磁弁 
３０      圧縮機
４１      第１圧縮機構 
４２      第２圧縮機構 
４３      第１圧縮機構部 
４４      第２圧縮機構部
５０      駆動軸
５３      第３圧縮室
６２      三路切換弁（切換機構） 
７４      第１圧縮室
７９      第１外側吐出ポート 
８０      第１内側吐出ポート
８２      第１外側吐出弁 
８３      第１内側吐出弁
９４      第２圧縮室
９９      第２外側吐出ポート 
１００      第２内側吐出ポート
１０２      第２外側吐出弁 
１０３      第２内側吐出弁
１６１      第１連絡通路
１６２      第２連絡通路
１９１    第２四路切換弁 
１９２    第３四路切換弁
【図１】
2010156497.tif 000003
【図２】
2010156497.tif 000004
【図３】
2010156497.tif 000005
【図４】
2010156497.tif 000006
【図５】
2010156497.tif 000007
【図６】
2010156497.tif 000008
【図７】
2010156497.tif 000009
【図８】
2010156497.tif 000010
【図９】
2010156497.tif 000011
【図１０】
2010156497.tif 000012
【図１１】
2010156497.tif 000013
【図１２】
2010156497.tif 000014
【図１３】
2010156497.tif 000015
【図１４】
2010156497.tif 000016
【図１５】
2010156497.tif 000017